(57)【要約】【課題】従前に設定したジョブ設定の設定内容でジョブを実行させたいユーザーの利便性を向上させる。【解決手段】画像形成装置は、操作パネルと、ユーザー設定情報をジョブごとに記憶する記憶部と、クイックアクセス操作を受け付けると、記憶されたユーザー設定情報を指定候補に設定するとともに、いずれかのユーザー設定情報を指定する指定操作の受け付けを行わせ、指定されたユーザー設定情報に含まれる設定項目と同じ設定項目を復元対象として認識し、復元対象の設定項目の設定値を指定されたユーザー設定情報に基づき復元する制御部と、を備える。【選択図】図７
2019089303.tif 000002
【特許請求の範囲】
【請求項１】
ジョブの実行に際し、ジョブ設定の設定操作をユーザーから受け付ける操作パネルと、
前記設定操作で設定値がデフォルト値から変更された設定項目の前記設定操作後の設定値を含むユーザー設定情報をジョブごとに記憶する記憶部と、
前記操作パネルが予め定められたクイックアクセス操作を受け付けると、前記記憶部に記憶された前記ユーザー設定情報を指定候補に設定するとともに、前記指定候補からいずれかの前記ユーザー設定情報を指定する指定操作の受け付けを前記操作パネルに行わせ、前記指定操作で指定された前記ユーザー設定情報に含まれる設定項目と同じ設定項目を復元対象として認識し、復元対象の設定項目の設定値を前記指定操作で指定された前記ユーザー設定情報に基づき復元する制御部と、を備えることを特徴とする画像形成装置。
【請求項２】
前記記憶部は、前記指定操作で指定された前記ユーザー設定情報の指定回数を前記ユーザー設定情報ごとに記憶し、
前記制御部は、前記操作パネルが前記クイックアクセス操作を受け付けると、対応する前記指定回数が多いほど順位が高くなるよう前記ユーザー設定情報の優先順位を設定する順位設定処理を行い、前記優先順位が最高順位の前記ユーザー設定情報から前記優先順位が所定順位の前記ユーザー設定情報までを優先的に前記指定候補に設定することを特徴とする請求項１に記載の画像形成装置。
【請求項３】
前記ユーザー設定情報は、前記制御部により生成され、
前記制御部は、新規の前記ユーザー設定情報を生成すると、新規の前記ユーザー設定情報と同じ前記ユーザー設定情報が前記記憶部に既に記憶されているか否かを判断し、新規の前記ユーザー設定情報と同じ前記ユーザー設定情報が前記記憶部に既に記憶されている場合、新規の前記ユーザー設定情報を前記記憶部に記憶させず、新規の前記ユーザー設定情報と同じ前記ユーザー設定情報に対応する前記指定回数をカウントアップすることを特徴とする請求項２に記載の画像形成装置。
【請求項４】
前記制御部は、前記操作パネルに前記指定操作の受け付けを行わせるとき、編集する前記ユーザー設定情報を指定する編集対象指定操作の受け付けを前記操作パネルに行わせ、前記操作パネルが前記編集対象指定操作を受け付けた場合、前記編集対象指定操作で指定された前記ユーザー設定情報を編集対象として認識し、編集対象の前記ユーザー設定情報を編集する編集操作の受け付けを前記操作パネルに行わせるとともに、編集対象の前記ユーザー設定情報を前記編集操作に基づき編集することを特徴とする請求項１〜３のいずれか１項に記載の画像形成装置。
【請求項５】
前記操作パネルは、前記編集操作として、編集対象の前記ユーザー設定情報から設定値を変更する設定項目を指定する変更項目指定操作、および、前記変更項目指定操作で指定された設定項目の設定値を変更する変更操作の受け付けを行い、
前記制御部は、編集対象の前記ユーザー設定情報を編集するとき、編集対象の前記ユーザー設定情報に含まれる設定項目のうち、前記変更項目指定操作で指定された設定項目の設定値を前記変更操作に基づき変更することを特徴とする請求項４に記載の画像形成装置。
【請求項６】
前記操作パネルは、前記編集操作として、編集対象の前記ユーザー設定情報に追加する設定項目を指定する追加項目指定操作、および、前記追加項目指定操作で指定された設定項目の設定値を設定する追加設定操作の受け付けを行い、
前記制御部は、編集対象の前記ユーザー設定情報を編集するとき、編集対象の前記ユーザー設定情報に前記追加項目指定操作で指定された設定項目を追加するとともに、当該追加した設定項目の設定値を前記追加設定操作で設定された設定値にすることを特徴とする請求項４または５に記載の画像形成装置。
【請求項７】
前記記憶部は、前記ユーザー設定情報をユーザーに対応付けて記憶し、
前記制御部は、前記操作パネルが前記クイックアクセス操作を受け付けると、画像形成装置に現在ログインしているユーザーを認識し、当該認識したユーザーに対応する前記ユーザー設定情報を前記指定候補に設定することを特徴とする請求項１〜６のいずれか１項に記載の画像形成装置。
【発明の詳細な説明】
【技術分野】
【０００１】
本発明は、設定操作を受け付ける操作パネルを備える画像形成装置に関する。
【背景技術】
【０００２】
従来の画像形成装置は、ジョブの実行に際し、ジョブに関する設定（ジョブ設定）の設定操作を受け付ける。そして、画像形成装置は、設定操作で設定された設定内容に基づきジョブを実行する。
【０００３】
ジョブ設定の設定項目は複数存在する。通常、複数の設定項目の設定値はデフォルト値に設定された状態となっている。いずれかの設定項目の設定値をデフォルト値から変更したい場合には、ジョブの実行に際し、設定項目の設定値を設定（変更）するための画面（設定値を設定するための設定ボタンが配された画面）を操作パネルに表示させる操作や、設定値を設定する操作などが必要となる。設定値をデフォルト値から変更したい設定項目が多いほど、ジョブの実行に際し行わなければならない操作が増えるので、ユーザーにとっては煩わしい。
【０００４】
ここで、特許文献１の画像形成装置は、ジョブ設定の設定操作を受け付けるとき、複数の設定項目にそれぞれ対応する複数の設定ボタンのうち使用頻度が高い所定数の設定ボタンを配した画面を操作パネルに優先的に表示する。特許文献１では、使用頻度の高い設定ボタンに対応する設定項目の設定値をデフォルト値から変更したい場合、当該設定項目に対応する設定ボタンの検索が容易になるので、利便性が向上する。
【先行技術文献】
【特許文献】
【０００５】
【特許文献１】特開２００８−８３５５９号公報
【発明の概要】
【発明が解決しようとする課題】
【０００６】
ユーザーによっては、画像形成装置にジョブを実行させるとき、従前に設定したジョブ設定の設定内容を復元したい場合がある。しかし、ジョブ設定の設定内容が従前に設定した設定内容と同じになるよう設定項目の設定値を１つずつ設定していくのは、ユーザーにとっては煩わしく利便性が悪い。
【０００７】
なお、特許文献１では、ジョブの実行に際し、使用頻度の高い設定ボタンを配した画面が優先的に操作パネルに表示されるが、従前に設定したジョブ設定の設定内容を復元することはできない。したがって、従前に設定したジョブ設定の設定内容を復元したい場合には、ジョブ設定の設定内容が従前に設定した設定内容と同じになるよう設定項目の設定値を１つずつ設定していく必要がある。
【０００８】
本発明は、上記課題を解決するためになされたものであり、従前に設定したジョブ設定の設定内容で画像形成装置にジョブを実行させたいユーザーの利便性を向上させることが可能な画像形成装置を提供することを目的とする。
【課題を解決するための手段】
【０００９】
上記目的を達成するため、本発明の画像形成装置は、ジョブの実行に際し、ジョブ設定の設定操作をユーザーから受け付ける操作パネルと、設定操作で設定値がデフォルト値から変更された設定項目の設定操作後の設定値を含むユーザー設定情報をジョブごとに記憶する記憶部と、操作パネルが予め定められたクイックアクセス操作を受け付けると、記憶部に記憶されたユーザー設定情報を指定候補に設定するとともに、指定候補からいずれかのユーザー設定情報を指定する指定操作の受け付けを操作パネルに行わせ、指定操作で指定されたユーザー設定情報に含まれる設定項目と同じ設定項目を復元対象として認識し、復元対象の設定項目の設定値を指定操作で指定されたユーザー設定情報に基づき復元する制御部と、を備える。
【００１０】
本発明の構成では、画像形成装置にジョブを実行させるとき、ジョブ設定の設定操作を操作パネルに対して行うと、当該設定操作で設定したジョブ設定の設定内容（当該設定操作で設定値をデフォルト値から変更した設定項目の設定操作後の設定値）を含むユーザー設定情報が画像形成装置に記憶される。そして、それ以降、画像形成装置に新規のジョブを実行させるとき、操作パネルに対し、クイックアクセス操作を行い、従前に設定したジョブ設定の設定内容に対応するユーザー設定情報を指定する指定操作を行うと、ジョブ設定の設定内容が従前に設定した設定内容と同じになるよう設定項目の設定値を１つずつ設定していかなくても（クイックアクセス操作および指定操作を行うだけで）、従前に設定したジョブ設定の設定内容を復元することができる。すなわち、従前に設定したジョブ設定の設定内容で画像形成装置にジョブを実行させることができる。これにより、ユーザーの利便性が向上する。
【発明の効果】
【００１１】
本発明の構成では、従前に設定したジョブ設定の設定内容で画像形成装置にジョブを実行させたいユーザーの利便性を向上させることができる。
【図面の簡単な説明】
【００１２】
【図１】本発明の一実施形態による複合機の構成を示す図
【図２】本発明の一実施形態による複合機の操作パネルが表示するホーム画面を示す図
【図３】本発明の一実施形態による複合機の操作パネルが表示するコピー画面を示す図
【図４】本発明の一実施形態による複合機の操作パネルの表示画面が片面／両面設定画面からコピー画面に遷移するときの図
【図５】本発明の一実施形態による複合機の操作パネルが表示する送信画面を示す図
【図６】本発明の一実施形態による複合機の操作パネルが表示するログイン画面を示す図
【図７】本発明の一実施形態による複合機の制御部が行う設定復元処理の流れを示す図
【図８】本発明の一実施形態による複合機の操作パネルが表示する指定受付画面を示す図
【図９】本発明の一実施形態による複合機の操作パネルが表示する編集画面を示す図
【図１０】本発明の一実施形態による複合機の操作パネルが表示する編集画面を示す図
【図１１】本発明の一実施形態による複合機の操作パネルが表示するセーブボタンを示す図
【図１２】本発明の一実施形態による複合機の制御部が行う編集処理（設定値の変更）について説明するための図
【図１３】本発明の一実施形態による複合機の制御部が行う編集処理（設定値の追加）について説明するための図
【図１４】本発明の一実施形態による複合機の制御部が行う編集処理（設定値の追加）について説明するための図
【発明を実施するための形態】
【００１３】
以下に、本発明の一実施形態による画像形成装置について、コピー機能や送信機能など複数種の機能を搭載する複合機を例にとって説明する。
【００１４】
＜複合機の構成＞
図１に示すように、本実施形態の複合機１００（「画像形成装置」に相当）は、制御部１および記憶部２を備える。制御部１は、ＣＰＵを含む。ＣＰＵは、制御用プログラムおよび制御用データに基づき動作し、複合機１００の各部を制御するための処理を行う。記憶部２は、不揮発性メモリー（ＲＯＭ）および揮発性メモリー（ＲＡＭ）を含む。制御用プログラムおよび制御用データは、ＲＯＭに記憶され、ＲＡＭに展開される。
【００１５】
また、複合機１００は、画像読取部３を備える。画像読取部３は、原稿を読み取り、原稿の画像データを生成する。画像読取部３は、読取ユニット３１を備える。読取ユニット３１は、光源やイメージセンサーなどを含む。光源は、原稿に光を照射する。イメージセンサーは、原稿からの反射光を受光し光電変換する。
【００１６】
また、複合機１００は、印刷部４を備える。印刷部４は、用紙を搬送するとともに、画像データに基づき画像（トナー像）を形成し、搬送中の用紙に画像を印刷する。コピージョブ（コピー機能を使用するジョブ）では、画像読取部３が読み取った原稿の画像データに基づく印刷が印刷部４により行われる。印刷部４は、画像形成ユニット４１および定着ユニット４２を備える。
【００１７】
画像形成ユニット４１は、感光体ドラムおよび転写ローラーを備える。感光体ドラムおよび転写ローラーは、互いに圧接し、転写ニップを形成する。また、画像形成ユニット４１は、感光体ドラムの周面を帯電させる帯電装置、感光体ドラムの周面上に静電潜像を形成する露光装置、および、感光体ドラムの周面上の静電潜像をトナー像に現像する現像装置などを備える。画像形成ユニット４１は、転写ニップを通過する用紙に対して、感光体ドラムの周面上のトナー像を転写する。
【００１８】
定着ユニット４２は、加熱ローラーおよび加圧ローラーを備える。加熱ローラーは、ヒーターを内蔵する。加圧ローラーは、加熱ローラーに圧接し、加熱ローラーとの間で定着ニップを形成する。定着ユニット４２は、定着ニップを通過する用紙を加熱および加圧することにより、用紙にトナー像を定着させる。
【００１９】
画像読取部３および印刷部４は、制御部１に接続される。制御部１は、画像読取部３の読取動作を制御するとともに、印刷部４の印刷動作を制御する。
【００２０】
また、複合機１００は、操作パネル５を備える。操作パネル５は、タッチスクリーン５１およびハードウェアボタン５２を備える。タッチスクリーン５１は、ソフトウェアボタンを配した画面を表示し、表示画面（ソフトウェアボタン）に対するタッチ操作をユーザーから受け付ける。ハードウェアボタン５２は、操作パネル５に複数設けられる。ハードウェアボタン５２としては、たとえば、ジョブの実行を指示するスタート操作をユーザーから受け付けるためのスタートボタンＳＴなどがある。ユーザーがスタートボタンＳＴに対して押下操作を行うことにより、複合機１００にてジョブが実行される。
【００２１】
操作パネル５は、制御部１に接続される。制御部１は、操作パネル５（タッチスクリーン５１）の表示動作を制御する。また、制御部１は、操作パネル５に対してユーザーが行った操作（タッチスクリーン５１に対するタッチ操作およびハードウェアボタン５２に対する押下操作）を検知する。
【００２２】
また、複合機１００は、通信部６を備える。通信部６は、インターネットやＬＡＮなどのネットワークＮＴに複合機１００を接続するための通信インターフェースである。通信部６は、通信用の回路やメモリー、コネクターを備える。なお、ネットワークＮＴには、パーソナルコンピューターやファクシミリなどの外部機器２００が接続される。
【００２３】
通信部６は、制御部１に接続される。制御部１は、通信部６を用いて、ネットワークＮＴに接続された外部機器２００と通信する。複合機１００をネットワークＮＴに接続することにより、複合機１００で読み取った原稿の画像データを外部機器２００に送信する送信ジョブ（送信機能を使用するジョブ）の実行が可能となる。
【００２４】
＜設定操作＞
操作パネル５は、コピージョブや送信ジョブなどのジョブの実行に際し、ジョブに関する設定（ジョブ設定）を設定する設定操作をユーザーから受け付けるための画面を表示する。操作パネル５が表示し得る画面を図２〜図５に示す。図２〜図５に示す画面は一例であり、操作パネル５は他にも種々の画面を表示する。
【００２５】
図２に示す画面はホーム画面ＰＳ１である。操作パネル５は、複合機１００が起動し、複合機１００に対してユーザーがログインすると、初期画面としてホーム画面ＰＳ１を表示する。ホーム画面ＰＳ１は、複合機１００に搭載された複数種の機能のうち使用する機能の選択をユーザーから受け付けるための画面である。
【００２６】
ホーム画面ＰＳ１には、複数種の機能にそれぞれ対応する複数の機能ボタンＢ１１が配される。たとえば、コピー機能を使用したい場合（複合機１００にコピージョブを実行させたい場合）には、「Ｃｏｐｙ」と表記された機能ボタンＢ１１（以下の説明では、コピー機能ボタンＢ１１と称する場合がある）に対してタッチ操作を行えばよい。送信機能を使用したい場合（複合機１００に送信ジョブを実行させたい場合）には、「Ｓｅｎｄ」と表記された機能ボタンＢ１１（以下の説明では、送信機能ボタンＢ１１と称する場合がある）に対してタッチ操作を行えばよい。
【００２７】
操作パネル５は、いずれかの機能ボタンＢ１１に対するタッチ操作をユーザーから受け付けると、ユーザーにより選択された選択機能（タッチ操作を受けた機能ボタンＢ１１に対応する機能）に関する設定項目の設定値を設定する設定操作をユーザーから受け付けるための設定画面ＰＳ２（図３および図５参照）を表示する。
【００２８】
図２に示すホーム画面ＰＳ１において、ユーザーがコピー機能ボタンＢ１１に対してタッチ操作を行った場合には、図３に示すような設定画面ＰＳ２（以下、コピー画面ＰＳ２１と称する場合がある）が操作パネル５に表示される。コピー画面ＰＳ２１は、コピージョブのジョブ設定に関する設定操作をユーザーから受け付けるための画面である。
【００２９】
コピー画面ＰＳ２１には、コピー機能に関する複数の設定項目にそれぞれ対応する複数の項目ボタンＢ２１が配される。項目ボタンＢ２１の表示領域内には、対応する設定項目の現在の設定値が表示される。図３に示す例では、設定項目としての「Ｐａｐｅｒ  Ｓｅｌｅｃｔｉｏｎ（用紙選択）」に関する設定値の現在値が「Ａｕｔｏ」であり、設定項目としての「Ｚｏｏｍ（拡大／縮小）」に関する設定値の現在値が「１００％」であり、設定項目としての「Ｄｅｎｓｉｔｙ（印刷濃度）」に関する設定値の現在値が「Ｎｏｒｍａｌ」であり、設定項目としての「Ｄｕｐｌｅｘ（片面／両面）」に関する設定値の現在値が「１−ｓｉｄｅｄ＞＞１−ｓｉｄｅｄ」である場合を図示する。ここで挙げた各設定項目の設定値はデフォルト値である。
【００３０】
なお、コピー画面ＰＳ２１では、設定項目としての印刷部数の設定値を設定する設定操作も行える。ユーザーが印刷部数の設定値を設定すると、当該設定した設定値がコピー画面ＰＳ２１の部数欄Ｃ２１に表示される。部数欄Ｃ２１をタッチすると、設定対象として印刷部数を選択することができる（部数欄Ｃ２１への数値の入力が可能となる）。印刷部数のデフォルトの設定値は１部である。たとえば、部数欄Ｃ２１に「５」を入力すると、印刷部数を５部に設定することができる。
【００３１】
操作パネル５は、いずれかの項目ボタンＢ２１に対するタッチ操作をユーザーから受け付けると、設定操作を受け付ける画面として詳細設定画面ＰＳ２０（図４上図参照）を表示する。詳細設定画面ＰＳ２０は、ユーザーにより選択された選択設定項目（タッチ操作を受けた項目ボタＢ２１に対応する設定項目）の設定値を設定する設定操作をユーザーから受け付けるため画面ある。
【００３２】
たとえば、ユーザーが「Ｄｕｐｌｅｘ」と表記された項目ボタンＢ２１に対してタッチ操作を行った場合には、図４上図に示すような詳細設定画面ＰＳ２０（以下の説明では、片面／両面設定画面ＰＳ２０１と称する場合がある）が操作パネル５に表示される。図４上図に示す片面／両面設定画面ＰＳ２０１は、設定項目としての「Ｄｕｐｌｅｘ」の設定値を設定する設定操作を受け付けるための画面である。
【００３３】
「Ｄｕｐｌｅｘ」の設定値として予め４つの設定値が準備され、当該４つの設定値にそれぞれ対応する４つの設定値ボタンＢ３２が片面／両面設定画面ＰＳ２０１に配される。「１−ｓｉｄｅｄ＞＞１−ｓｉｄｅｄ」と表記された設定値ボタンＢ２０１に対してタッチ操作を行った場合には、片面原稿が１ページずつ片面コピーされるようジョブ設定を設定することができる。「１−ｓｉｄｅｄ＞＞２−ｓｉｄｅｄ」と表記された設定値ボタンＢ２０１に対してタッチ操作を行った場合には、片面原稿が両面コピーされるようジョブ設定を設定することができる。「２−ｓｉｄｅｄ＞＞１−ｓｉｄｅｄ」と表記された設定値ボタンＢ２０１に対してタッチ操作を行った場合には、両面原稿が１ページずつ片面コピーされるようジョブ設定を設定することができる。「２−ｓｉｄｅｄ＞＞２−ｓｉｄｅｄ」と表記された設定値ボタンＢ２０１に対してタッチ操作を行った場合には、両面原稿が両面コピーされるようジョブ設定を設定することができる。
【００３４】
詳細設定画面ＰＳ２０にはＯＫボタンが配される。ＯＫボタンに対してタッチ操作を行うことにより、詳細設定画面ＰＳ２０で設定した設定値が確定される。また、ＯＫボタンに対してタッチ操作を行うと、操作パネル５の表示画面が詳細設定画面ＰＳ２０から設定画面ＰＳ２に遷移する。
【００３５】
たとえば、片面／両面設定画面ＰＳ２０１で「１−ｓｉｄｅｄ＞＞２−ｓｉｄｅｄ」と表記された設定値ボタンＢ２０１をタッチし、続けてＯＫボタンをタッチすると、「Ｄｕｐｌｅｘ」の設定値が「１−ｓｉｄｅｄ＞＞２−ｓｉｄｅｄ」に変更され、操作パネル５の表示画面が片面／両面設定画面ＰＳ２０１からコピー画面ＰＳ２１に遷移する（図４上図の状態から図４下図の状態に遷移する）。この場合、コピー画面ＰＳ２１の「Ｄｕｐｌｅｘ」と表記された項目ボタンＢ２１の表示領域内の表示が「１−ｓｉｄｅｄ＞＞１−ｓｉｄｅｄ」から「１−ｓｉｄｅｄ＞＞２−ｓｉｄｅｄ」に代わる。
【００３６】
図２に示すホーム画面ＰＳ１において、ユーザーが送信機能ボタンＢ１１に対してタッチ操作を行った場合には、図５に示すような設定画面ＰＳ２（以下、送信画面ＰＳ２２と称する場合がある）が操作パネル５に表示される。送信画面ＰＳ２２は、送信ジョブのジョブ設定に関する設定操作をユーザーから受け付けるための画面である。
【００３７】
送信画面ＰＳ２２には、送信先欄Ｃ２２が配される。ユーザーが送信先のアドレスを設定すると、当該設定したアドレスが送信先欄Ｃ２２に表示される。送信先のアドレスを設定する設定操作（送信先欄Ｃ２２にアドレスを入力する操作）を行うときには、アドレスを入力するためのソフトウェアキーボード（図示せず）が操作パネル５に表示され、送信先欄Ｃ２２にアドレスを入力することができるようになる。送信ジョブでは、送信先が「設定項目」に相当し、送信先欄Ｃ２２に入力されるアドレスが「設定値」に相当する。
【００３８】
なお、送信画面ＰＳ２２には、アドレスボタンＢ２２１が配される。操作パネル５は、ユーザーがアドレスボタンＢ２２１に対してタッチ操作を行うと、ユーザーにより予め登録された登録アドレスのリストを配したアドレス帳画面（図示せず）を詳細設定画面ＰＳ２０として表示する。操作パネル５は、登録アドレスのリストの中からアドレスを選択する操作を設定操作として受け付ける。登録アドレスのリストの中からアドレスを選択すると、当該選択したアドレスを送信先欄Ｃ２２に入力することができる。この場合には、ソフトウェアキーボードを用いたアドレス入力が不要となる。
【００３９】
また、送信画面ＰＳ２２には、送信形式ボタンＢ２２２が配される。操作パネル５は、ユーザーが送信形式ボタンＢ２２２に対してタッチ操作を行うと、送信形式を設定（選択）するための送信形式画面（図示せず）を詳細設定画面ＰＳ２０として表示する。特に限定されないが、Ｅメール送信やＦＴＰ暗号送信などが選択肢として準備される。たとえば、送信形式をＥメール送信に設定することにより、送信先欄Ｃ２２に入力したアドレスを有する外部機器２００に対し、複合機１００で読み取った原稿画像を添付したＥメールを送信することができる。送信ジョブでは、送信形式が「設定項目」に相当し、Ｅメール送信やＦＴＰ暗号送信などが「設定値」に相当する。
【００４０】
なお、操作パネル５は、システム設定を設定する操作も設定操作としてユーザーから受け付ける。一例として、印刷用紙が載置される用紙トレイ（図示せず）が複合機１００に複数設置される場合には、予め複数の用紙トレイのいずれかがデフォルトの用紙トレイに設定され、デフォルトの用紙トレイが使用される。用紙トレイに関するシステム設定を変更することにより（設定操作を行うことにより）、別の用紙トレイをデフォルトの用紙トレイにすることができる。別の例として、複合機１００にＷｉ−Ｆｉ機能が搭載される場合がある。デフォルトではＷｉ−Ｆｉ機能は無効とされる。Ｗｉ−Ｆｉ機能に関するシステム設定を変更することにより（設定操作を行うことにより）、Ｗｉ−Ｆｉ機能を有効にすることができる。
【００４１】
＜ユーザー認証＞
複合機１００の使用許可は正規ユーザーにのみ与えられる。複合機１００を使用したいユーザーは複合機１００にログインする必要がある。言い換えると、複合機１００を使用したいユーザーはユーザー認証（本人確認）を受ける必要がある。複合機１００は、ユーザー認証の結果、ユーザー認証を受けたユーザーが正規ユーザーであることを確認できれば、ログインを許可する（複合機１００の使用を許可する）。
【００４２】
制御部１は、ユーザー認証を行うため、図６に示すようなログイン画面ＬＳを操作パネル５に表示させる。ログイン画面ＬＳには、ユーザーＩＤ欄Ｃ１およびパスワード欄Ｃ２が配置される。ユーザーはユーザー認証を受けるとき、ユーザーＩＤをユーザーＩＤ欄Ｃ１に入力し、パスワードをパスワード欄Ｃ２に入力する。
【００４３】
制御部１は、ユーザー認証を行うとき、ユーザーＩＤ欄Ｃ１に入力されたユーザーＩＤおよびパスワード欄Ｃ２に入力されたパスワードに基づき、ユーザー認証を受けたユーザーが正規ユーザーであるか否かを判断する。その結果、正規ユーザーであると判断した場合、制御部１は、複合機１００をログイン状態に移行させる。複合機１００がログイン状態に移行すると、操作パネル５に対して設定操作を行うことが可能となる（複合機１００にジョブを実行させることができる）。一方で、正規ユーザーではないと判断した場合、制御部１は、複合機１００をログイン状態に移行させない。この場合には、操作パネル５に対して設定操作を行うことはできない。
【００４４】
＜ユーザー設定情報＞
制御部１は、ジョブの実行に際し、ジョブ設定を設定する設定操作の受け付けを操作パネル５に行わせる。その後、ジョブの実行指示（スタートボタンＳＴに対する操作）を操作パネル５が受け付けたことを検知すると、ジョブを実行する。このとき、制御部１は、ユーザー設定情報２１（図１参照）を記憶部２に記憶させる登録処理を行う。制御部１による登録処理は自動的に行われる。
【００４５】
制御部１は、操作パネル５がジョブの実行指示を受け付ける度に登録処理を行い、ユーザー設定情報２１をジョブごとに記憶部２に記憶させる。このため、複数のユーザー設定情報２１が記憶部２に記憶された状態になり得る。また、制御部１は、記憶部２に記憶させるユーザー設定情報２１をユーザーに対応付ける。たとえば、制御部１は、操作パネル５がスタート操作を受け付けたとき（ユーザー設定情報２１を登録するとき）、複合機１００に現在ログインしているユーザーを認識し、当該認識したユーザーを今回登録するユーザー設定情報２１に対応付ける。
【００４６】
ユーザー設定情報２１は、ジョブに関する設定操作でユーザーにより設定された設定項目（設定値がデフォルト値から変更された設定項目）および設定操作後の設定値を示す情報を含む。ユーザー設定情報２１は制御部１により生成される。制御部１は、操作パネル５がジョブの実行指示を受け付けたとき、当該ジョブの実行に際して行われた設定操作で設定された設定項目および設定操作後の設定値を認識する。そして、制御部１は、今回登録するユーザー設定情報２１に対し、当該認識した設定項目および設定値を示す情報を含める。
【００４７】
一例として、コピージョブの実行に際し、コピー画面ＰＳ２１（図３参照）に対する設定操作により、印刷部数を５部にする旨の設定がなされたとする。そして、操作パネル５に対しジョブの実行指示がなされたとする。すなわち、原稿画像を５部印刷する旨の指示がなされたとする。他の設定項目の設定値についてはデフォルト値から変更されなかったとする。
【００４８】
この場合、制御部１は、操作パネル５がジョブの実行指示を受け付けたとき、今回実行するコピージョブに対応するユーザー設定情報２１を生成し、記憶部２に記憶させる。このときに記憶部２に記憶されるユーザー設定情報２１には、印刷部数が５部である旨の情報が含められる。
【００４９】
別の例として、送信ジョブの実行に際し、送信画面ＰＳ２２（図５参照）に対する設定操作により、送信先のアドレスを「ａｂｃｄ＠ｅｆｇ．ｃｏｍ」にする旨の設定がなされたとする。また、送信形式をＥメール送信にする旨の設定がなされたとする。そして、操作パネル５に対しジョブの実行指示がなされたとする。すなわち、画像データを添付したＥメールを「ａｂｃｄ＠ｅｆｇ．ｃｏｍ」というアドレスに送信する旨の指示がなされたとする。他の設定項目の設定値についてはデフォルト値から変更されなかったとする。
【００５０】
この場合、制御部１は、操作パネル５がジョブの実行指示を受け付けたとき、今回実行する送信ジョブに対応するユーザー設定情報２１を生成し、記憶部２に記憶させる。このときに記憶部２に記憶されるユーザー設定情報２１には、送信先のアドレスが「ａｂｃｄ＠ｅｆｇ．ｃｏｍ」である旨の情報が含められるとともに、送信形式がＥメール送信である旨の情報が含められる。
【００５１】
なお、送信日時（送信ジョブの実行日時）に関する情報や、送信先に送信する画像データに関する情報など、他の情報がユーザー設定情報２１に含められてもよい。
【００５２】
ここで、記憶部２には、ユーザー設定情報２１ごとに回数情報２２（図１参照）が記憶される。回数情報２２は、対応するユーザー設定情報２１が指定された指定回数を示す情報である。制御部１は、後述する指定操作によっていずれかのユーザー設定情報２１が指定されると、当該指定されたユーザー設定情報２１に対応する回数情報２２の指定回数を１カウントアップする。
【００５３】
場合によっては、制御部１が生成した新規のユーザー設定情報２１と同じユーザー設定情報２１（ここでは、同一ユーザー設定情報２１と称する）が既に記憶部２に記憶された状態になっていることがある。このため、制御部１は、新規のユーザー設定情報２１を生成すると、同一ユーザー設定情報２１が既に記憶部２に記憶されているか否かを判断し、同一ユーザー設定情報２１が記憶されていれば、今回生成した新規のユーザー設定情報２１を記憶部２に記憶させず、同一ユーザー設定情報２１に対応する回数情報２２の指定回数を１カウントアップする。
【００５４】
なお、制御部１は、システム設定を設定する設定操作が行われた場合にも、ユーザー設定情報２１を生成し、記憶部２に記憶させる。システム設定を設定する設定操作が行われた場合には、当該設定操作で設定値がデフォルト値から変更された設定項目の設定操作後の設定値を含むシステム設定情報がユーザー設定情報２１として記憶部２に記憶される。
【００５５】
＜設定復元処理＞
操作パネル５が表示するホーム画面ＰＳ１（図２参照）には、クイックアクセスボタンＱＢ１が配される。操作パネル５は、ホーム画面ＰＳ１のクイックアクセスボタンＱＢ１に対するタッチ操作をクイックアクセス操作として受け付ける。
【００５６】
制御部１は、操作パネル５がクイックアクセス操作を受け付けたことを検知すると、設定復元処理を行う。制御部１は、設定復元処理として、ユーザーが指定したユーザー設定情報２１に含まれる設定項目と同じ設定項目を復元対象として認識し、ユーザーが指定したユーザー設定情報２１に基づき、復元対象の設定項目の設定値を復元する処理を行う。
【００５７】
以下に、図７に示すフローチャートを参照し、制御部１が行う設定復元処理の流れを説明する。図７に示すフローチャートのスタート時点では、複合機１００がログイン状態になっているとする。また、記憶部２にユーザー設定情報２１が記憶されているとする。そして、ホーム画面ＰＳ１のクイックアクセスボタンＱＢ１に対するタッチ操作を制御部１が検知したとき、図７に示すフローチャートがスタートする。
【００５８】
ステップＳ１において、制御部１は、複合機１００に現在ログインしているユーザーであるログインユーザーを認識する。言い換えると、制御部１は、複合機１００を現在使用しているユーザー（複合機１００にジョブを実行させようとしているユーザー）を認識する。
【００５９】
ステップＳ２において、制御部１は、順位設定処理を行う。このとき、制御部１は、記憶部２に記憶されているユーザー設定情報２１のうちログインユーザーに対応するユーザー設定情報２１を抽出する。また、制御部１は、ログインユーザーのユーザー設定情報２１に対応する回数情報２２に基づき、ユーザー設定情報２１ごとに指定回数を認識する。そして、制御部１は、対応する回数情報２２で示される指定回数が多いほど順位が高くなるようログインユーザーのユーザー設定情報２１に優先順位を設定する。
【００６０】
ステップＳ３において、制御部１は、優先順位が最高順位のユーザー設定情報２１から所定順位（Ｎ位）のユーザー設定情報２１までを指定候補に設定する。たとえば、所定順位を示すＮの値は２以上である（たとえば、所定順位は５位である）。このため、複数（５つ）のユーザー設定情報２１が指定候補に設定される。
【００６１】
ステップＳ４において、制御部１は、指定候補からいずれかのユーザー設定情報２１を指定する操作（当該操作が指定操作である）の受け付けを操作パネル５に行わせる。このとき、操作パネル５は、図８に示すような指定受付画面ＰＳ３を表示し、指定操作（タッチ操作）をユーザーから受け付ける。なお、ホーム画面ＰＳ１上に指定受付画面ＰＳ３がポップアップ表示されてもよい。
【００６２】
指定受付画面ＰＳ３には、指定候補に設定された複数のユーザー設定情報２１にそれぞれ対応する複数の指定受付ボタンＢ３１が配される。たとえば、各指定受付ボタンＢ３１の表示領域内には、対応するユーザー設定情報２１に含まれる設定項目の設定値が少なくとも１つ表示される。また、各指定受付ボタンＢ３１の近傍（図８では、左隣）には、対応するユーザー設定情報２１の優先順位が付される。
【００６３】
たとえば、ログインユーザーが従前に、印刷部数を５部に設定し、複合機１００にコピージョブを実行させていたとする。この例では、印刷部数が５部である旨の情報を含むユーザー設定情報２１が記憶部２に記憶された状態になる。そして、この例において、当該ユーザー設定情報２１の優先順位が５位に設定されたとする。この場合に、図８に示すように、当該ユーザー設定情報２１に対応する指定受付ボタンＢ３１（「Ｃｏｐｙ  ５  Ｃｏｐｉｅｓ」と表記された指定受付ボタンＢ３１）が上から５段目に表示される。
【００６４】
また、ログインユーザーが従前に、送信先のアドレスを登録アドレスのリストから選択した「ａｂｃｄ＠ｅｆｇ．ｃｏｍ」に設定するとともに、送信形式をＥメール送信に設定し、複合機１００で読み取った原稿画像をＥメール形式で送信する送信ジョブを複合機１００に実行させていたとする。この例では、送信先のアドレスが「ａｂｃｄ＠ｅｆｇ．ｃｏｍ」である旨の情報および送信形式がＥメール送信である旨の情報を含むユーザー設定情報２１が記憶部２に記憶された状態となる。そして、この例において、当該ユーザー設定情報２１の優先順位が３位に設定されたとする。この場合に、図８に示すように、当該ユーザー設定情報２１に対応する指定受付ボタンＢ３１（「Ｓｃａｎ  ｔｏ  Ｅｍａｉｌ  ｖｉａ  Ａｄｄｒｅｓｓ  Ｂｏｏｋ  Ｅｎｔｒｙ  ａｂｃｄ＠ｅｆｇ．ｃｏｍ」と表記されたボタン）が上から３段目に表示される。
【００６５】
操作パネル５に指定受付画面ＰＳ３が表示されて以降、いずれかの指定受付ボタンＢ３１に対するタッチ操作をユーザーが行うと、ステップＳ５に移行する。
【００６６】
ステップＳ５に移行すると、制御部１は、ユーザーが指定操作で指定したユーザー設定情報２１（タッチ操作を受けた指定受付ボタンＢ３１に対応するユーザー設定情報２１）に含まれる設定項目と同じ設定項目を復元対象として認識する。そして、制御部１は、指定操作で指定されたユーザー設定情報２１に基づき、復元対象の設定項目の設定値を復元する処理を行う。
【００６７】
たとえば、図８に示す指定受付画面ＰＳ３において、優先順位が５位の指定受付ボタンＢ３１に対するタッチ操作をユーザーが行ったとする。この場合、印刷部数が１部（デフォルト値）から５部に変更される。そして、操作パネル５にコピー画面ＰＳ２１（図３参照）が表示される。このとき、印刷部数が既に５部に設定されているので、コピー画面ＰＳ２１の部数欄Ｃ２１に「５」が入力された状態となる。以降、操作パネル５に対してスタート操作（スタートボタンＳＴを押下する操作）をユーザーが行うと、印刷部数が５部のコピージョブが複合機１００にて実行される。
【００６８】
なお、複合機１００にユーザー認証機能（ログイン機能）が搭載されない場合がある。この場合には、図７に示すフローチャートのステップＳ１の処理が省略される。そして、ステップＳ２において、制御部１は、記憶部２に記憶された全てのユーザー設定情報２１を対象に順位設定処理を行う。
【００６９】
＜編集操作＞
制御部１は、図８に示す指定受付画面ＰＳ３を操作パネル５が表示しているとき、指定操作に加え、編集するユーザー設定情報２１を指定する編集対象指定操作の受け付けを操作パネル５に行わせる。操作パネル５は、編集対象指定操作を受け付けるため、複数の編集ボタンＥＢを指定受付画面ＰＳ３に表示する。
【００７０】
複数の編集ボタンＥＢは、それぞれ、指定受付画面ＰＳ３の複数の指定受付ボタンＢ３１に対応する。各編集ボタンＥＢは、対応する指定受付ボタンＢ３１の近傍（図８では、右隣）に付される。操作パネル５は、いずれかの編集ボタンＥＢに対するタッチ操作を編集対象指定操作として受け付ける。
【００７１】
制御部１は、操作パネル５が編集対象指定操作を受け付けたことを検知すると、編集対象指定操作を受けた編集ボタンＥＢが付された指定受付ボタンＢ３１に対応するユーザー設定情報２１（編集対象指定操作で指定されたユーザー設定情報２１）を編集対象として認識する。そして、制御部１は、編集対象のユーザー設定情報２１を編集する編集操作の受け付けを操作パネル５に行わせ、操作パネル５が受け付けた編集操作に基づき編集対象のユーザー設定情報２１を編集する。
【００７２】
操作パネル５は、編集操作を受け付けるとき、編集画面ＰＳ４（図９および図１０参照）を表示する。編集画面ＰＳ４には、編集対象のユーザー設定情報２１に含まれる設定項目の設定値の設定時に行われた設定操作の流れを示す画像Ｇが操作ステップごとに表示される。以下、当該画像Ｇを操作ステップ画像Ｇと称する。
【００７３】
図９に示す編集画面ＰＳ４（ＰＳ４１）に対応するユーザー設定情報２１は、印刷部数を５部に設定し、複合機１００にコピージョブを実行させた場合に記憶部２に記憶されるユーザー設定情報２１である。当該コピージョブの実行に際しては、以下の操作が順番に行われる。
【００７４】
１番目：ホーム画面ＰＳ１のコピー機能ボタンＢ１１をタッチする操作（Ｐｒｅｓｓ  Ｃｏｐｙ）
２番目：設定対象として印刷部数を選択する操作（Ｓｅｌｅｃｔ  Ｃｏｐｉｅｓ）
３番目：コピー画面ＰＳ２１の部数欄Ｃ２１に数値を入力する操作（Ｅｎｔｅｒ  ｎｕｍｂｅｒ  ｏｆ  ｃｏｐｉｅｓ）
４番目：スタートボタンＳＴを押下する操作（Ｐｒｅｓｓ  Ｓｔａｒｔ）
【００７５】
したがって、図９に示す編集画面ＰＳ４２には、上記１番目〜４番目の操作ステップにそれぞれ対応する４つの操作ステップ画像Ｇが表示される。
【００７６】
図１０に示す編集画面ＰＳ４（ＰＳ４２）に対応するユーザー設定情報２１は、送信先を登録アドレスのリストから選択した「ａｂｃｄ＠ｅｆｇ．ｃｏｍ」に設定するとともに、送信形式をＥメール送信に設定し、複合機１００で読み取った原稿画像をＥメール形式で送信する送信ジョブを複合機１００に実行させた場合に記憶部２に記憶されるユーザー設定情報２１である。当該送信ジョブの実行に際しては、以下の操作が順番に行われる。
【００７７】
１番目：ホーム画面ＰＳ１の送信機能ボタンＢ１１をタッチする操作（Ｐｒｅｓｓ  Ｓｅｎｄ）
２番目：送信画面ＰＳ２２のアドレスボタンＢ２２１をタッチする操作（Ｇｏ  ｔｏ  Ａｄｄｒｅｓｓ  ｂｏｏｋ）
３番目：登録アドレスのリストから送信先のアドレスを選択する操作（Ｓｅｌｅｃｔ  Ａｄｒｅｓｓ  ａｂｃｄ＠ｅｆｇ．ｃｏｍ）
４番目：スタートボタンＳＴを押下する操作（Ｐｒｅｓｓ  Ｓｔａｒｔ）
【００７８】
したがって、図１０に示す編集画面ＰＳ４２には、上記１番目〜４番目の操作ステップにそれぞれ対応する４つの操作ステップ画像Ｇが表示される。
【００７９】
ここで、ユーザー設定情報２１の編集では、設定値の変更あるいは設定値の追加を行うことができる。設定値の変更では、編集対象のユーザー設定情報２１に含まれている既存の設定項目を任意に指定し、当該した設定項目の設定値を変更することができる。また、設定値の追加では、任意に指定した設定項目（編集対象のユーザー設定情報２１に含まれていない設定項目）の設定値をデフォルト値から変更し、当該設定項目の変更後の設定値を編集対象のユーザー設定情報２１に追加的に含めることができる。
【００８０】
（設定値の変更）
編集画面ＰＳ４（図９および図１０参照）に表示される操作ステップ画像Ｇのうち、設定項目の設定値をデフォルト値から変更するために行われた設定操作（ここでは、対象設定操作と称する）に対応する操作ステップ画像Ｇは、編集対象のユーザー設定情報２１から設定値を変更する設定項目を指定する変更項目指定操作を受け付けるためのソフトウェアボタンとして機能する。以下、当該ソフトウェアボタンとして機能する操作ステップ画像Ｇに符号Ｂを付す。
【００８１】
図９に示す編集画面ＰＳ４１において、３番目の操作ステップ画像Ｇに対応する設定操作は、印刷部数を設定するために行われた操作である（当該操作によってコピー画面ＰＳ２１の部数欄Ｃ２１に入力された数値が印刷部数として設定される）。したがって、編集画面ＳＰ４１では、３番目の操作ステップ画像Ｇに対応する設定操作が対象設定操作に相当する（当該操作ステップ画像Ｇがソフトウェアボタンとして機能する）。
【００８２】
図１０に示す編集画面ＰＳ４２において、３番目の操作ステップ画像Ｇに対応する設定操作は、送信先のアドレスを設定するために行われた操作である（当該操作によって送信画面ＰＳ２２の送信先欄Ｃ２２に入力されたアドレスが送信先のアドレスとして設定される）。したがって、編集画面ＰＳ４２では、３番目の操作ステップ画像Ｇに対応する設定操作が対象設定操作に相当する（当該操作ステップ画像Ｇがソフトウェアボタンとして機能する）。
【００８３】
制御部１は、ソフトウェアボタンとしての操作ステップ画像Ｇ（Ｂ）に対するタッチ操作を検知すると、タッチされた操作ステップ画像Ｇ（Ｂ）に対応する設定項目を変更対象として認識する。制御部１は、変更対象の設定項目を認識すると、操作パネル５に指示し、変更対象の設定項目の設定値を変更（設定）するための画面（設定画面ＰＳ２や詳細設定画面ＰＳ２０）の表示を行わせるとともに、変更対象の設定項目の設定値を変更（設定）する変更操作の受け付けを行わせる。操作パネル５は、通常の設定操作と同じ操作を変更操作として受け付ける。
【００８４】
たとえば、図１０に示す編集画面ＳＰ４２の操作ステップ画像Ｇ（Ｓ）をユーザーがタッチした場合、制御部１は、送信先を変更対象の設定項目として認識する。この場合、操作パネル５は、登録アドレスのリスト（図示せず）を表示し、登録アドレスのリストの中からアドレスを選択（設定）する操作を変更操作として受け付ける。制御部１は、当該変更操作を操作パネル５が受け付けると、編集対象のユーザー設定情報２１に含まれる送信先（変更対象の設定項目）のアドレス（設定値）を変更操作で選択されたアドレスに変更する。
【００８５】
ここで、設定画面ＳＰ２（図３および図５参照）には、クイックアクセスボタンＱＢ２が配される。制御部１は、設定画面ＳＰ２のクイックアクセスボタンＱＢ２に対するタッチ操作を検知すると、図１１に示すように、第１セーブボタンＳＢ１および第２セーブボタンＳＢ２を操作パネル５に表示させる。たとえば、第１セーブボタンＳＢ１および第２セーブボタンＳＢ２を含むダイアログボックスＤＢが設定画面ＳＰ２上にポップアップ表示される。
【００８６】
第１セーブボタンＳＢ１に対してタッチ操作が行われた場合、制御部１は、編集対象のユーザー設定情報２１を記憶部２に上書き保存する保存処理を行う。当該保存処理を制御部１が行うことにより、編集対象のユーザー設定情報２１の内容が編集操作後の内容に変更される。保存処理後、制御部１は、操作パネル５に編集画面ＰＳ４を再度表示させる。これにより、編集対象のユーザー設定情報２１の編集を続けて行うことができるので、ユーザーにとっては利便性が良い。
【００８７】
第２セーブボタンＳＢ２に対してタッチ操作が行われた場合、制御部１は、第１セーブボタンＳＢ１に対してタッチ操作が行われた場合と同様に保存処理を行う。そして、制御部１は、編集対象となっていたユーザー設定情報２１（編集後のユーザー設定情報２１）に基づき復元処理を行う。これにより、ユーザー設定情報２１の編集後、直ぐに（ホーム画面ＰＳ１に戻らなくても）、ジョブ設定の設定内容を所望の内容に復元することができるので、ユーザーにとっては利便性が良い。
【００８８】
たとえば、図１０に示す編集画面ＰＳ４２において、送信作のアドレスを「ａｂｃｄ＠ｅｆｇ．ｃｏｍ」から「ｈｉｊｋ＠ｌｍｎ．ｃｏｍ」に変更するための編集操作をユーザーが行ったとする。その後、ユーザーが第１セーブボタンＳＢ１に対してタッチ操作を行ったとする。この場合、編集前の編集画面ＰＳ４２は、図１２上図に示す状態であったのに対し、編集後の編集画面ＰＳ４２は、図１２下図に示す状態となる。すなわち、３番目の操作ステップ画像Ｇ（Ｂ）の表示領域内の表示が「ａｂｃｄ＠ｅｆｇ．ｃｏｍ」から「ｈｉｊｋ＠ｌｍｎ．ｃｏｍ」に変更される。
【００８９】
（設定値の追加）
編集画面ＰＳ４（図９および図１０参照）には、編集対象のユーザー設定情報２１に追加する設定項目を指定する追加項目指定操作を受け付けるため、追加ボタンＡＢが表示される。追加ボタンＡＢは、複数の操作ステップ画像Ｇの各近傍（図９および図１０では、右隣）に１つずつ付される。
【００９０】
制御部１は、いずれかの追加ボタンＡＢに対するタッチ操作を検知すると、編集対象のユーザー設定情報２１に対応するジョブで使用される機能を認識するとともに、当該認識した機能に対応する設定画面ＰＳ２を追加設定受付画面として認識する。そして、制御部１は、追加設定受付画面として認識した設定画面ＰＳ２を操作パネル５に表示させる。
【００９１】
制御部１は、追加ボタンＡＢに対するタッチ操作を受けて設定画面ＰＳ２を操作パネル５に表示させて以降、設定画面ＰＳ２に対してタッチ操作が行われると、設定画面ＰＳ２に対して行われたタッチ操作を追加項目指定操作（編集対象のユーザー設定情報２１に追加する設定項目を指定する操作）として検知する。そして、制御部１は、追加項目指定操作で指定された設定項目を追加対象として認識する。
【００９２】
制御部１は、追加対象の設定項目を認識すると、追加対象の設定項目の設定値を設定する追加設定操作の受け付けを操作パネル５に行わせる。操作パネル５は、通常の設定操作と同じ操作を追加設定操作として受け付ける。
【００９３】
たとえば、図９に示す編集画面ＰＳ４１のいずれかの追加ボタンＡＢに対してユーザーがタッチ操作を行った場合には、制御部１はコピー画面ＰＳ２１を追加設定受付画面として認識する。このため、制御部１は、操作パネル５にコピー画面ＳＰ２１を表示させる。すなわち、操作パネル５の表示画面は、図１３に示すように遷移する。
【００９４】
コピー画面ＰＳ２１の表示後、コピー画面ＰＳ２１の「Ｄｕｐｌｅｘ」と表記された項目ボタン２１に対してユーザーがタッチ操作を行ったとする。この場合、制御部１は、コピー画面ＰＳ２１に対して行われたタッチ操作を追加項目指定操作として検知し、設定項目としての「Ｄｕｐｌｅｘ」を追加対象として認識する。そして、制御部１は、操作パネル５に片面／両面設定画面ＰＳ２０１（図４上図参照）を表示させる。
【００９５】
片面／両面設定画面ＰＳ２０１の表示後、制御部１は、追加設定操作の受け付けを操作パネル５に行わせる。操作パネル５は、片面／両面設定画面ＰＳ２０１のいずれかの設定値ボタンＢ２０１をタッチしてから片面／両面設定画面ＰＳ２０１のＯＫボタンをタッチする操作を追加設定操作として受け付ける。ここでは、たとえば、「Ｄｕｐｌｅｘ」の設定値を「１−ｓｉｄｅｄ＞＞２−ｓｉｄｅｄ」に設定する操作が追加設定操作として行われたとする。この場合、制御部１は、編集対象のユーザー設定情報２１に設定項目としての「Ｄｕｐｌｅｘ」を追加するとともに、当該追加した「Ｄｕｐｌｅｘ」の設定値を「１−ｓｉｄｅｄ＞＞２−ｓｉｄｅｄ」にする。
【００９６】
また、制御部１は、上記のような追加設定操作が行われた後、操作パネル５にコピー画面ＰＳ２１を表示させる。すなわち、操作パネル５の表示画面は、図４に示すように遷移する。
【００９７】
その後、コピー画面ＰＳ２１のクイックアクセスボタンＱＢ２をタッチし、続けて、第１セーブボタンＳＢ１（図１１参照）をタッチする操作をユーザーが行ったとする。制御部１は、第１セーブボタンＳＢ１に対するタッチ操作を検知すると、保存処理を行い、操作パネル５に編集画面ＰＳ４２を再度表示させる。この場合、編集前の編集画面ＰＳ４２は、図１４上図に示す状態であったのに対し、編集後の編集画面ＰＳ４２は、図１４下図に示す状態となる。すなわち、追加項目指定操作（追加対象の設定項目として「Ｄｕｐｌｅｘ」を指定する操作）に対応する操作ステップ画像Ｇと、追加設定操作（「Ｄｕｐｌｅｘ」の設定値を「１−ｓｉｄｅｄ＞＞２−ｓｉｄｅｄ」に設定する操作）に対応する操作ステップ画像Ｇとが追加される。
【００９８】
本実施形態の複合機１００（画像形成装置）は、上記のように、ジョブの実行に際し、ジョブ設定の設定操作をユーザーから受け付ける操作パネル５と、設定操作で設定値がデフォルト値から変更された設定項目の設定操作後の設定値を含むユーザー設定情報２１をジョブごとに記憶する記憶部２と、操作パネル５が予め定められたクイックアクセス操作を受け付けると、記憶部２に記憶されたユーザー設定情報２１を指定候補に設定するとともに、指定候補からいずれかのユーザー設定情報２１を指定する指定操作の受け付けを操作パネル５に行わせ、指定操作で指定されたユーザー設定情報２１に含まれる設定項目と同じ設定項目を復元対象として認識し、復元対象の設定項目の設定値を指定操作で指定されたユーザー設定情報２１に基づき復元する制御部１と、を備える。
【００９９】
本実施形態の構成では、複合機１００にジョブを実行させるとき、ジョブ設定の設定操作を操作パネル５に対して行うと、自動的に、当該設定操作で設定したジョブ設定の設定内容（当該設定操作で設定値をデフォルト値から変更した設定項目の設定操作後の設定値）を含むユーザー設定情報２１が複合機１００に記憶される。そして、それ以降、複合機１００に新規のジョブを実行させるとき、操作パネル５に対し、クイックアクセス操作を行い、従前に設定したジョブ設定の設定内容に対応するユーザー設定情報２１を指定する指定操作を行うと、ジョブ設定の設定内容が従前に設定した設定内容と同じになるよう設定項目の設定値を１つずつ設定していかなくても（クイックアクセス操作および指定操作を行うだけで）、従前に設定したジョブ設定の設定内容を復元することができる。すなわち、従前に設定したジョブ設定の設定内容で複合機１００にジョブを実行させることができる。これにより、ユーザーの利便性が向上する。
【０１００】
また、本実施形態では、上記のように、制御部１は、操作パネル５がクイックアクセス操作を受け付けると、対応する回数情報２２で示される指定回数が多いほど順位が高くなるようユーザー設定情報２１の優先順位を設定する順位設定処理を行い、優先順位が最高順位のユーザー設定情報２１から優先順位が所定順位のユーザー設定情報２１までを優先的に指定候補に設定する。なお、制御部１は、新規のユーザー設定情報２１と同じユーザー設定情報２１（同一ユーザー設定情報２１）が記憶部２に既に記憶されていれば、新規のユーザー設定情報２１を記憶部２に記憶させず、同一ユーザー設定情報２１に対応する指定回数をカウントアップする。この構成では、ユーザーが頻繁に使用しているジョブ設定の設定内容に対応するユーザー設定情報２１が指定候補として優先的に提示される（指定受付ボタンＢ３１が表示される）ので、ユーザーが指定操作を行うときの利便性が向上する。
【０１０１】
また、本実施形態では、上記のように、制御部１は、操作パネル５に指定操作の受け付けを行わせるとき、編集するユーザー設定情報２１を指定する編集対象指定操作の受け付けを操作パネル５に行わせ、操作パネル５が編集対象指定操作を受け付けた場合、編集対象指定操作で指定されたユーザー設定情報２１を編集対象として認識し、編集対象のユーザー設定情報２１を編集する編集操作の受け付けを操作パネル５に行わせるとともに、編集対象のユーザー設定情報２１を編集操作に基づき編集する。この構成では、既存のユーザー設定情報２１を編集することができるので、ユーザーの利便性が向上する。
【０１０２】
また、本実施形態では、上記のように、操作パネル５は、編集操作として、編集対象のユーザー設定情報２１から設定値を変更する設定項目を指定する変更項目指定操作、および、変更項目指定操作で指定された設定項目の設定値を変更する変更操作の受け付けを行う。制御部１は、編集対象のユーザー設定情報２１を編集するとき、編集対象のユーザー設定情報２１に含まれる設定項目のうち、変更項目指定操作で指定された設定項目の設定値を変更操作に基づき変更する。この構成では、既存のユーザー設定情報２１に含まれる設定項目のうちユーザー所望の設定項目の設定値だけを選択的に変更することができる。
【０１０３】
また、本実施形態では、上記のように、操作パネル５は、編集操作として、編集対象のユーザー設定情報２１に追加する設定項目を指定する追加項目指定操作、および、追加項目指定操作で指定された設定項目の設定値を設定する追加設定操作の受け付けを行う。制御部１は、編集対象のユーザー設定情報２１を編集するとき、編集対象のユーザー設定情報２１に追加項目指定操作で指定された設定項目を追加するとともに、当該追加した設定項目の設定値を追加設定操作で設定された設定値にする。この構成では、既存のユーザー設定情報２１にユーザー所望の設定項目の設定値を追加することができる。
【０１０４】
また、本実施形態では、上記のように、制御部１は、操作パネル５がクイックアクセス操作を受け付けると、複合機１００に現在ログインしているユーザーを認識し、当該認識したユーザーに対応するユーザー設定情報２１を指定候補に設定する。この構成では、ユーザーからすると、自身が従前に設定したジョブ設定の設定内容に対応するユーザー設定情報２１だけが指定候補として優先的に提示される（指定受付ボタンＢ３１が表示される）ので、利便性が良い。
【０１０５】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【０１０６】
１  制御部
２  記憶部
５  操作パネル
２１  ユーザー設定情報
１００  複合機（画像形成装置）
【図１】
2019089303.tif 000003
【図２】
2019089303.tif 000004
【図３】
2019089303.tif 000005
【図４】
2019089303.tif 000006
【図５】
2019089303.tif 000007
【図６】
2019089303.tif 000008
【図７】
2019089303.tif 000009
【図８】
2019089303.tif 000010
【図９】
2019089303.tif 000011
【図１０】
2019089303.tif 000012
【図１１】
2019089303.tif 000013
【図１２】
2019089303.tif 000014
【図１３】
2019089303.tif 000015
【図１４】
2019089303.tif 000016